(57)【要約】【課題】  ラップフィルムを傷めたり使い勝手が悪くなる弊害を回避しつつ常に最適な保持力を確保するとともに、伝言等のメモ紙としての機能を持たせることにより多様性及び多機能性を高め、加えて、使用する際の柔軟性及び汎用性、更には省資源性及び経済性を高める。【解決手段】  ラップフィルムＦを収容したカートン本体部Ｍｍから引出され、かつカッターＣによりカットされた後の残留側におけるラップフィルムＦｒを、カートン本体部Ｍｍの外面Ｍｍｏに保持可能なラップフィルム保持具であって、カートン本体部Ｍｍに対して着脱式に取付可能な取付部２と、前表面３ｆの一部に粘着部３ｆｊを設け、かつ裏面３ｒを取付部２に固定した保持基部３と、前表面５ｆ…の一部に粘着部５ｆｊ…を設けた複数の保持紙５…を積層し、かつ最裏面部６ｒを保持基部３の前表面３ｆに貼付した保持紙積層部６とを備える。【選択図】  図１
2020079096.tif 000002
【特許請求の範囲】
【請求項１】
ラップフィルムを収容したカートン本体部から引出され、かつカッターによりカットされた後の残留側におけるラップフィルムを、前記カートン本体部の外面に保持可能なラップフィルム保持部を備えるラップフィルムカートンにおいて、前表面の一部に粘着部を設け、かつ裏面を前記カートン本体部の外面に対して固定した保持基部と、前表面の一部に粘着部を設けた複数の保持紙を積層し、かつ最裏面部を前記保持基部の前表面に貼付した保持紙積層部とを有するラップフィルム保持部を備えることを特徴とするラップフィルムカートン。
【請求項２】
前記保持基部は、前記カートン本体部の前面部に対して着脱式に取付可能な取付部を介して固定し、又は直接固定してなることを特徴とする請求項１記載のラップフィルムカートン。
【請求項３】
ラップフィルムを収容したカートン本体部から引出され、かつカッターによりカットされた後の残留側におけるラップフィルムを、前記カートン本体部の外面に保持可能なラップフィルム保持具であって、前記カートン本体部に対して着脱式に取付可能な取付部と、前表面の一部に粘着部を設け、かつ裏面を前記取付部に固定した保持基部と、前表面の一部に粘着部を設けた複数の保持紙を積層し、かつ最裏面部を前記保持基部の前表面に貼付した保持紙積層部とを備えることを特徴とするラップフィルム保持具。
【請求項４】
前記取付部は、前記カートン本体部の開口部の端辺から前面部の表裏面を挟んで固定可能なＵ形状に形成してなることを特徴とする請求項３記載のラップフィルム保持具。
【請求項５】
前記取付部は、合成樹脂素材又は金属素材を用いた弾性素材により一体成形してなることを特徴とする請求項３又は４記載のラップフィルム保持具。
【請求項６】
前記保持紙は、前記粘着部を、前記前表面における上部の所定範囲に設けてなることを特徴とする請求項３記載のラップフィルム保持具。
【発明の詳細な説明】
【技術分野】
【０００１】
本発明は、カットされた後における残留側のラップフィルムを保持可能なラップフィルム保持部を備えるラップフィルムカートン及びラップフィルム保持具に関する。
【背景技術】
【０００２】
従来、カートン本体部から引出され、かつカッターによりカットされた後の残留側におけるラップフィルムの巻戻りを防止するため、巻戻り防止機能、特に、粘着部を用いたラップフィルム保持部をカートン本体部の外面に設けることにより、残留側のラップフィルムを保持できるようにしたラップフィルムカートンとしては、例えば、特許文献１により開示されるラップフィルム用カートン及び特許文献２により開示されるラップフィルム収納カートンが知られている。
【０００３】
同文献１に開示のラップフィルム用カートンは、ロール状のラップフィルムを収納し、使用時に所望長さのフィルムをカートンから引き出し、切断するカートンに関するものであって、特に巻戻り防止機能を備えたカートンであり、具体的には、ロール状ラップフィルムを収納するカートンにおいて、該カートンの前板所定位置に、基材の少なくとも表面がポリプロピレンシートで、裏面に粘着層を有するラベルから成る巻戻り防止部を設けたものである。また、同文献２に開示のラップフィルム収納カートンは、フィルム保持部を印刷によって形成することが可能であり、ラップフィルムに対する良好かつ安定な保持特性、温度非依存性を有するとともに、製造コストの低減化と製造工程の簡易・迅速化が図られたラップフィルム収納カートンの提供を目的としたものであり、具体的には、ロール状に巻かれたラップフィルムを収納する長形のカートンであって、少なくとも該カートンの長手方向に設けられた開口部からラップフィルムを引き出して切断するための切断手段と、切断後のラップフィルム端のカートン内への巻戻りを防止するためのフィルム保持部とを備えるとともに、特に、フィルム保持部が、２種類もしくはそれ以上のポリウレタン系プレポリマーの混合物の硬化物よりなる粘着層からなるものである。
【先行技術文献】
【特許文献】
【０００４】
【特許文献１】特開平１１−２２７７５７号公報
【特許文献２】特開平１０−０３５６５６号公報
【発明の概要】
【発明が解決しようとする課題】
【０００５】
しかし、上述したラップフィルムカートンをはじめ、従来におけるこの種のラップフィルムカートンは、次のような問題点があった。
【０００６】
第一に、フィルム保持部は、単純な粘着部を用いたものにすぎないため、フィルムの着脱を繰り返す度に、フィルム保持部における表面の保持力が低下する。このため、フィルム保持部の保持力（粘着力）の選定が重要になり、粘着力を大きく選定すれば、ラップフィルムを傷めたり、使い勝手が悪くなるなどの弊害を招くとともに、粘着力を小さく選定すれば、早期の寿命低下を招いてしまう。結局、妥協的な粘着力を選定せざるを得ず、必ずしも良好なフィルム保持部を備えたラップフィルムカートンが提供されていないのが実情である。
【０００７】
第二に、この種のラップフィルムカートンに備えるフィルム保持部は、巻戻りを防止する機能に留まるため、機能としては、単一の機能に留まる。したがって、機能としての多様性及び多機能性を確保する観点からも必ずしも十分であるとはいえず、ラップフィルムカートンに対する、より付加価値を高める観点からは更なる改善の余地があった。
【０００８】
本発明は、このような背景技術に存在する課題を解決したラップフィルムカートン及びラップフィルム保持具の提供を目的とするものである。
【課題を解決するための手段】
【０００９】
本発明に係るラップフィルムカートンＭは、上述した課題を解決するため、ラップフィルムＦを収容したカートン本体部Ｍｍから引出され、かつカッターＣによりカットされた後の残留側におけるラップフィルムＦｒを、カートン本体部Ｍｍの外面Ｍｍｏに保持可能なラップフィルム保持部を備えるラップフィルムカートンにおいて、前表面３ｆの一部に粘着部３ｆｊを設け、かつ裏面３ｒをカートン本体部Ｍｍの外面Ｍｍｏに対して固定した保持基部３と、前表面５ｆ…の一部に粘着部５ｆｊ…を設けた複数の保持紙５…を積層し、かつ最裏面部６ｒを保持基部３の前表面３ｆに貼付した保持紙積層部６とを有するラップフィルム保持部１ｍを備えることを特徴とする。
【００１０】
また、本発明に係るラップフィルム保持具１は、上述した課題を解決するため、ラップフィルムＦを収容したカートン本体部Ｍｍから引出され、かつカッターＣによりカットされた後の残留側におけるラップフィルムＦｒを、カートン本体部Ｍｍの外面Ｍｍｏに保持可能なラップフィルム保持具であって、カートン本体部Ｍｍに対して着脱式に取付可能な取付部２と、前表面３ｆの一部に粘着部３ｆｊを設け、かつ裏面３ｒを取付部２に固定した保持基部３と、前表面５ｆ…の一部に粘着部５ｆｊ…を設けた複数の保持紙５…を積層し、かつ最裏面部６ｒを保持基部３の前表面３ｆに貼付した保持紙積層部６とを備えることを特徴とする。
【００１１】
一方、発明の好適な態様により、ラップフィルムカートンＭを構成するに際し、保持基部３は、カートン本体部Ｍｍの前面部Ｍｍｆに対して着脱式に取付可能な取付部２を介して固定してもよいし又は直接固定してもよい。他方、ラップフィルム保持具１を構成するに際しては、取付部２を、カートン本体部Ｍｍの開口部Ｍｍｕの端辺Ｍｍｕｓから前面部Ｍｍｆの表裏面を挟んで固定可能なＵ形状に形成することができる。したがって、この取付部２は、合成樹脂素材又は金属素材を用いた弾性素材Ｒにより一体成形することが望ましい。さらに、ラップフィルム保持具１（ラップフィルムカートンＭ）に用いる保持紙５の粘着部５ｆｊは、前表面５ｆにおける上部の所定範囲Ａに設けることが望ましい。
【発明の効果】
【００１２】
このような構成を有する本発明に係るラップフィルムカートンＭ及びラップフィルム保持具１によれば、次のような顕著な効果を奏する。
【００１３】
（１）  ラップフィルムカートンＭは、前表面３ｆの一部に粘着部３ｆｊを設け、かつ裏面３ｒをカートン本体部Ｍｍの外面Ｍｍｏに対して固定した保持基部３と、前表面５ｆ…の一部に粘着部５ｆｊ…を設けた複数の保持紙５…を積層し、かつ最裏面部６ｒを保持基部３の前表面３ｆに貼付した保持紙積層部６とを有するラップフィルム保持部１ｍを備えるため、粘着部５ｆｊ…の粘着力（保持力）が使用により低下した場合、劣化した保持紙５を剥がして除去し、次の新しい保持紙５を使用することができる。これにより、最適な粘着力を選定することが可能になり、粘着力が大きすぎてラップフィルムを傷めたり使い勝手が悪くなる弊害を回避しつつ、常に好適な粘着力を確保できる。
【００１４】
（２）  複数の保持紙５…を積層した保持紙積層部６を備えるため、本来の巻戻り防止機能に加え、必要により、ラッピング対象となる料理等の日時，名前，用途，目的などを書き込むメモ紙として利用できる。即ち、使用するラップフィルムＦｆに、粘着部５ｆｊを介して保持紙５を貼付けた状態にできるため、保持紙５にメモ書きし、そのままラップフィルムＦと一緒に剥がすことにより、伝言や記録等を目的としたメモ紙としての機能を持たせることができる。この結果、多様性及び多機能性を高めることができるなど、ラップフィルムカートンＭにおける付加価値をより高めることができる。
【００１５】
（３）  ラップフィルム保持具１は、カートン本体部Ｍｍに対して着脱式に取付可能な取付部２と、前表面３ｆの一部に粘着部３ｆｊを設け、かつ裏面３ｒを取付部２に固定した保持基部３と、前表面５ｆ…の一部に粘着部５ｆｊ…を設けた複数の保持紙５…を積層し、かつ最裏面部６ｒを保持基部３の前表面３ｆに貼付した保持紙積層部６とを備えるため、粘着部（保持部）を有しない一般的なラップフィルムカートンにも容易に後付けできるとともに、保持紙５…が残った場合であっても他のラップフィルムカートンに付け替えて利用できるなど、上述した（１）及び（２）のメリットに加え、使用する際の柔軟性及び汎用性、更には省資源性及び経済性を高めることができる。
【００１６】
（４）  好適な態様により、ラップフィルムカートンＭを構成するに際し、保持基部３は、カートン本体部Ｍｍの前面部Ｍｍｆに対して、着脱式に取付可能な取付部２を介して間接的に固定してもよいし、或いは直接的に固定してもよい。この場合、いずれを採用しても、基本的なレイアウト形態を、従来の粘着部付きのラップフィルムカートンと同じにできるため、従来と同等の使い勝手を確保できるとともに、違和感なく使用することができる。
【００１７】
（５）  好適な態様により、ラップフィルム保持具１を構成するに際し、取付部２を、カートン本体部Ｍｍの開口部Ｍｍｕの端辺Ｍｍｕｓから前面部Ｍｍｆの表裏面を挟んで固定可能なＵ形状に形成すれば、単一の単純部品として製作できるため、製作容易性及び低コスト性に優れる。
【００１８】
（６）  好適な態様により、取付部２を、合成樹脂素材又は金属素材を用いた弾性素材Ｒにより一体成形すれば、汎用素材を金型成形或いは折曲成形等により容易に製造できるため、更なる低コスト性及び量産性を確保できる。
【００１９】
（７）  好適な態様により、ラップフィルム保持具１（ラップフィルムカートンＭ）に用いる保持紙５の粘着部５ｆｊを、前表面５ｆにおける上部の所定範囲Ａに設ければ、保持紙５を剥離する際には下側から捲り易くなるため、最も望ましい形態として実施することができる。
【図面の簡単な説明】
【００２０】
【図１】本発明の好適実施形態に係るラップフィルム保持具を取付けた状態のカートンの斜視図、
【図２】同ラップフィルム保持具を装着した状態のカートンの断面側面図、
【図３】同ラップフィルム保持具の斜視図、
【図４】同ラップフィルム保持具の機能及び取付方法の説明図、
【図５】同ラップフィルム保持具を装着したカートン及び装着しないカートンの外観正面図、
【図６】同ラップフィルム保持具を装着したカートンの使用方法を説明するための模式図、
【図７】同ラップフィルム保持具を装着したカートンの使用後の模式図、
【図８】同ラップフィルム保持具を装着したカートンの他の使用方法を説明するための模式図、
【図９】同ラップフィルム保持具を装着したカートンの他の使用方法を説明するための他の模式図、
【図１０】本発明の変更実施形態に係るラップフィルム保持具における保持紙の正面図、
【図１１】本発明の変更実施形態に係るラップフィルムカートンのカートン蓋部の一部を省略した断面側面図、
【発明を実施するための形態】
【００２１】
次に、本発明に係る好適実施形態を挙げ、図面に基づき詳細に説明する。
【００２２】
まず、本実施形態に係るラップフィルムカートンＭ及びラップフィルム保持具１の理解を容易にするため、一般的なラップフィルムカートンと同じ構成部分となるラップフィルムカートンＭにおける基本的な構成部分について、図１〜図６を参照して説明する。
【００２３】
ラップフィルムカートンＭにおける基本的な構成部分は、カートン本体部Ｍｍとカートン蓋部Ｍｒにより構成され、カートン本体部ＭｍにラップフィルムＦが収容される。カートン本体部Ｍｍは、上面部に開口部Ｍｍｕを有する横長の直方体形状に形成され、側面視の断面はほぼ正方形枠形である。また、カートン蓋部Ｍｒは、カートン本体部Ｍｍの開口部Ｍｍｕを開閉する機能を備え、開口部Ｍｍｕの形状とほぼ同形状の蓋本体部Ｍｒａ，この蓋本体部Ｍｒａの両端に設けた左右一対の蓋側面部Ｍｒｓ…，及び蓋本体部Ｍｒａの前端に設けた蓋前面部Ｍｒｆにより構成される。例示の場合、蓋前面部Ｍｒｆと蓋側面部Ｍｒｓ…の高さ寸法は、同程度となり、カートン本体部Ｍｍの高さ寸法に対して２／３程度の長さである。
【００２４】
そして、蓋本体部Ｍｒａの後端辺は、カートン本体部Ｍｍの背面側の上端辺に対して連続させ、蓋本体部Ｍｒａの後端辺とカートン本体部Ｍｍの上端辺間は、回動可能なヒンジ部Ｍｈとして機能する。このため、一般的に、カートン本体部Ｍｍ及びカートン蓋部Ｍｒは、厚紙により一体に構成される。また、蓋前面部Ｍｒｆの裏面には、図１に示す細長いカッターＣが固定され、このカッターＣの下端辺に形成されるノコギリ状のカッター刃Ｃｍは蓋前面部Ｍｒｆの下端辺から下方に突出する。一方、ラップフィルムＦは、図２に示すように、筒芯となる紙管Ｅの外周面にロール巻きして構成される。
【００２５】
以上が、ラップフィルムカートンＭにおける基本的な構成部分となる。これにより、一般的なラップフィルムカートン、即ち、ラップフィルムカートンＭの基本的な構成部分を使用する場合、使用者は、ラップフィルムＦの先端を手で持ち、カートン本体部Ｍｍの開口部Ｍｍｕから外部へ使用する長さだけ引出した後、カートン蓋部Ｍｒを閉じて他の手で押さえ、この状態において、引出したラップフィルムＦを斜め上方へ引張れば、カッター刃Ｃｍにより、使用する長さのラップフィルムＦｒをカットすることができる。
【００２６】
ところで、一般的なラップフィルムカートンの場合、この後に手を離せば、残留側におけるラップフィルムＦｒが巻戻りしてしまう問題がある。特に、ラップフィルムＦｒは、薄いが故に、巻戻りによりロール状に戻った場合、ラップフィルムＦの先端を剥いで引出すことは容易でない。このため、従来のラップフィルムカートンには、背景技術で挙げたように、ラップフィルムＦｒが一時的に貼付いて保持（仮固定）される粘着部を前面部Ｍｍｆの前表面に設けたものが提案されており、本実施形態に係るラップフィルムカートンＭ及びラップフィルム保持具１は、この機能を、より改善したものである。
【００２７】
次に、本実施形態に係るラップフィルムカートンＭ及びラップフィルム保持具１の構成について、図１〜図６を参照して具体的に説明する。
【００２８】
図３に、ラップフィルム保持具１の全体構成を示す。ラップフィルム保持具１は、大別して、カートン本体部Ｍｍに対して着脱式に取付可能な取付部２と、前表面３ｆの一部に粘着部３ｆｊを設け、かつ裏面３ｒを取付部２に固定した保持基部３と、前表面５ｆ…の一部に粘着部５ｆｊ…を設けた複数の保持紙５…を積層し、かつ最裏面部６ｒを保持基部３の前表面３ｆに貼付した保持紙積層部６とを備える。
【００２９】
この場合、取付部２は、図３及び図４に示すように、カートン本体部Ｍｍの開口部Ｍｍｕの端辺Ｍｍｕｓから前面部Ｍｍｆの表裏面を挟んで固定可能なＵ形状に形成する。即ち、取付部２は、図４に示すように、対面した前プレート部２ｆと後プレート部２ｒの上端同士を連結部２ｊにより連続させる形状を有するとともに、前プレート部２ｆと後プレート部２ｒの間隔は、カートン本体部Ｍｍの製作に用いる厚紙の厚さとほぼ同程度になるように選定し、かつ外力を付加しない自然状態では、図４に示すように、前プレート部２ｆと後プレート部２ｒの先端（下端）が接触（又は圧接）するように構成する。なお、取付部２の横幅寸法は、後述する保持紙５と同程度或いはやや長く選定できる。このように構成すれば、単一の単純部品として製作できるため、製作容易性及び低コスト性に優れる利点がある。
【００３０】
したがって、取付部２の形成素材としては、合成樹脂素材又は金属素材を用いた弾性素材Ｒにより一体形成することができる。例示は、合成樹脂素材を用いた例を示す。これにより、取付部２は、図４に仮想線で示すように、前プレート部２ｆに対して後プレート部２ｒは、先端側（下端側）が離間して広がるように弾性変形させることができ、この際の弾性力、即ち、カートン本体部Ｍｍに装着した際の固定強度は、連結部２ｊの素材及び厚さの選定により設定できる。このように、取付部２を、合成樹脂素材又は金属素材を用いた弾性素材Ｒにより一体成形すれば、汎用素材を金型成形又は折曲成形等により容易に製造できるため、更なる低コスト性及び量産性を確保できる利点がある。
【００３１】
この結果、取付部２は、カートン本体部Ｍｍに対して着脱式に取付可能になる。したがって、装着して使用するときは、図６に示すように、カートン本体部Ｍｍの開口部Ｍｍｕの端辺Ｍｍｕｓから前面部Ｍｍｆの表裏面を挟んで固定可能、即ち、前プレート部２ｆが前面部Ｍｍｆの表面に圧接し、後プレート部２ｒが前面部Ｍｍｆの裏面に圧接して固定可能になるとともに、使用しないときは、離脱することができる。
【００３２】
一方、保持基部３は、基本的に、後述する保持紙５と同じものを用いることができる。保持紙５と異なる点は、図６に示すように、裏面３ｒを、取付部２の前プレート部２ｆに固定する点にある。この場合、保持基部３の裏面３ｒは、接着剤又は両面接着テープ等の接着手段１１を利用して前プレート部２ｆに接着固定、望ましくは、全面を接着固定することができる。そして、保持基部３の前表面３ｆの一部には、後述する保持紙５の粘着部５ｆｊと同様の粘着部３ｆｊを設けることができる。
【００３３】
他方、保持紙５は、一枚のメモ紙として利用できるものであり、例示の形状は、矩形に形成した。この保持紙５の前表面５ｆの一部には粘着部５ｆｊを設ける。この場合、粘着部５ｆｊは、前表面５ｆにおける上部の所定範囲Ａ、例示の場合、図３及び図６に示すように、上下方向における上側の１／４程度の範囲となる横方向に帯状となる所定範囲Ａに設けた。このように設ければ、保持紙５を剥離する際には、下側から捲り易くなるため、最も望ましい形態として実施できる利点がある。
【００３４】
そして、複数の保持紙５…を積層することにより保持紙積層部６として構成し、この保持紙積層部６の最裏面部６ｒを保持基部３の前表面３ｆに貼付する。これにより、取付部２，保持基部３及び保持紙積層部６が一体となった図３に示す本実施形態に係るラップフィルム保持具１が構成される。
【００３５】
このように、本実施形態に係るラップフィルム保持具１は、カートン本体部Ｍｍに対して着脱式に取付可能な取付部２と、前表面３ｆの一部に粘着部３ｆｊを設け、かつ裏面３ｒを取付部２に固定した保持基部３と、前表面５ｆ…の一部に粘着部５ｆｊ…を設けた複数の保持紙５…を積層し、かつ最裏面部６ｒを保持基部３の前表面３ｆに貼付した保持紙積層部６とを備えるため、粘着部（保持部）を有しない一般的なラップフィルムカートンにも容易に後付けできるとともに、保持紙５…が残った場合であっても他のラップフィルムカートンに付け替えて利用できる利点があり、特に、使用する際の柔軟性及び汎用性、更には省資源性及び経済性を高めることができる。
【００３６】
また、取付部２を除く保持基部３と保持紙積層部６は、ラップフィルム保持具１ｍとして構成される。即ち、例示の場合、保持基部３を取付部２を介して間接的にカートン本体部Ｍｍに対して固定するものであるが、後述するように、保持基部３を直接カートン本体部Ｍｍの前面部Ｍｍｆに接着することもできる。このように、ラップフィルムカートンＭを構成するに際しては、保持基部３を、カートン本体部Ｍｍの前面部Ｍｍｆに対して着脱式に取付可能な取付部２を介して固定することもできるし、或いは直接固定することもできる。この場合、いずれを採用しても、基本的なレイアウト形態は、従来の粘着部付きのラップフィルムカートンと同じになるため、従来と同等の使い勝手を確保できるとともに、違和感なく使用することができる。
【００３７】
次に、本実施形態に係るラップフィルム保持具１を備えるラップフィルムカートンＭの使用方法及び作用（機能）について、図４〜図９を参照して説明する。
【００３８】
まず、ラップフィルム保持具１は、図６に示すように、ラップフィルムカートンにおけるカートン本体部Ｍｍに装着して使用する。カートン本体部Ｍｍに装着するに際しては、取付部２を、側面視がＵ形状となるように形成したため、図４に示すように、前プレート部２ｆの先端側（下端側）と後プレート部２ｒの先端側（下端側）を広げて離間し、カートン本体部Ｍｍの開口部Ｍｍｕの端辺Ｍｍｕｓから前面部Ｍｍｆの表裏面を挟むように矢印Ｄｓ方向に装着すればよい。
【００３９】
これにより、前プレート部２ｆと後プレート部２ｒは、前面部Ｍｍｆの表裏面に圧接して前面部Ｍｍｆを挟み、前面部Ｍｍｆに対して固定することができる。この場合、装着位置は、図１に示すように、前面部Ｍｍｆの左右方向における略中央位置が望ましい。図５（ａ）は、ラップフィルム保持具１を装着したラップフィルムカートン（開封後）の正面図を示している。なお、図５（ｂ）は、ラップフィルム保持具１を装着する前の一般的なラップフィルムカートンＭｏ（開封前）の正面図を示す。この場合、前面カバー部Ｍｃが付属しており、切離線Ｃｃから、この前面カバー部Ｍｃを取り除くことにより、カッターＣが露出し、かつカートン蓋部Ｍｒを開閉することができる。
【００４０】
一方、ラップフィルムカートンＭを使用する際は、一般的な、ラップフィルムカートンＭｏと同様に使用できる。即ち、図６に示すように、使用者は、ラップフィルムＦの先端、即ち、使用したいラップフィルムＦｆの先端を手Ｈｐで持ち、カートン本体部Ｍｍ内のラップフィルムＦを、当該カートン本体部Ｍｍの開口部Ｍｍｕから使用したい長さ分だけ、外部へ引出した後、同図に示すように、カートン蓋部Ｍｒを閉じ、閉じたカートン蓋部Ｍｒを他の手Ｈｑで押さえながら、引出したラップフィルムＦｆを、斜め上方へ引張ればよい。これにより、使用したい長さ分のラップフィルムＦｆを、カッターＣによりカットすることができる。
【００４１】
この後、残留側におけるラップフィルムＦｒは、図７に示すように、最前位置の保持紙５における粘着部５ｆｊに付着することにより保持されるため、ラップフィルムＦｒの巻戻りが防止される。さらに、この後、ラップフィルムカートンＭを、繰り返し使用することにより、粘着部５ｆｊの粘着力が低下し、最前位置の保持紙５が劣化した場合には、図４に示すように、最前位置の保持紙５を、矢印Ｄｐ方向に剥離することにより除去することができる。これにより、次の新しい保持紙５を使用することができる。
【００４２】
このように、ラップフィルムカートンＭは、前表面３ｆの一部に粘着部３ｆｊを設け、かつ裏面３ｒをカートン本体部Ｍｍの外面Ｍｍｏに対して固定した保持基部３と、前表面５ｆ…の一部に粘着部５ｆｊ…を設けた複数の保持紙５…を積層し、かつ最裏面部６ｒを保持基部３の前表面３ｆに貼付した保持紙積層部６とを有するラップフィルム保持部１ｍを備えるため、粘着部５ｆｊ…の粘着力（保持力）が使用により低下した場合、劣化した保持紙５を剥がして除去し、次の新しい保持紙５を使用することができる。これにより、最適な粘着力を選定することが可能になり、粘着力が大きすぎてラップフィルムを傷めたり使い勝手が悪くなる弊害を回避しつつ、常に好適な粘着力を確保できる。
【００４３】
他方、保持紙５…はメモ紙として使用することができる。この場合、図８に示すように、使用者は、使用時に、手ＨｐによりラップフィルムＦｆの前端部と最前位置における保持紙５を一緒に掴み、ラップフィルムＦｒと保持紙５を一緒に引出せば、最前位置における一枚の保持紙５を保持紙積層部６側から剥離することができる。この際、保持紙５の粘着部５ｆｊは、ラップフィルムＦｆの端部に付着（固定）した状態となる。したがって、ラップフィルムＦｆを引き出す前に（又はその後に）、最前位置の保持紙５に、必要なメモ書きを行うことができる。図９にメモ書きの一例を示す。図９は、皿２１に子供用のおやつＳを載せた場合におけるメモ書き例を示している。なお、５ｋは、保持紙５の紙面上に表示した罫線を示す。
【００４４】
このように、本実施形態に係るラップフィルムカートンＭによれば、複数の保持紙５…を積層した保持紙積層部６を備えるため、本来の巻戻り防止機能に加え、必要により、ラッピング対象となる料理等の日時，名前，用途，目的などを書き込むメモ紙として利用できる。即ち、使用するラップフィルムＦｆに、粘着部５ｆｊを介して保持紙５を貼付けた状態にできるため、保持紙５にメモ書きし、そのままラップフィルムＦと一緒に剥がすことにより、伝言や記録等を目的としたメモ紙としての機能を持たせることができる。この結果、多様性及び多機能性を高めることができるなど、ラップフィルムカートンＭにおける付加価値をより高めることができる。
【００４５】
次に、本発明の変更実施形態に係るラップフィルム保持具１及びラップフィルムカートンＭについて、図１０及び図１１を参照して説明する。
【００４６】
図１０は、ラップフィルム保持具１の変更例を示す。図１〜図９の実施形態は、ラップフィルム保持具１における取付部２及び保持紙５（保持基部３）の正面形状として、長方形を選定した基本形態を示したが、取付部２及び保持紙５（保持基部３）は、各種形状により実施可能である。
【００４７】
図１０（ａ）は、取付部２の正面形状を矩形形状を選定するも、保持紙５（保持基部３）の形状を花形形状に選定した例を示す。なお、５ｋ…は保持紙５の前表面５ｆに表示された罫線を示す。また、図１０（ｂ）は、取付部２の正面形状を非矩形形状に選定するとともに、保持紙５（保持基部３）の形状をハート形形状に選定した例を示す。なお、５ｋは保持紙５の前表面５ｆに表示された罫線を示す。この場合、取付部２の配色は、任意の色やデザインを選定して保持紙５の形状や配色にマッチング又は関連づけることができる。このように、取付部２及び保持紙５（保持基部３）の形状は、例示した形状をはじめ、各種形状により実施することができる。
【００４８】
一方、図１１は、ラップフィルムカートンＭの変更例を示す。図１〜図９の実施形態は、ラップフィルム保持具１を用いた例を示したが、図１１に示す変更例は、ラップフィルム保持具１の取付部２を除いた形態、即ち、保持基部３と保持紙積層部６により構成されるラップフィルム保持部１ｍを利用し、保持基部３の裏面３ｒをカートン本体部Ｍｍの前面部Ｍｍｆにおける外面に、接着剤又は両面接着テープ等の接着手段１１を利用して直接固定したものである。したがって、このラップフィルム保持部１ｍは、ラップフィルムカートンＭの製造段階において一体化することができる。即ち、工場において一体に組付けることを想定した一例であり、前述したラップフィルム保持具１のように、着脱方式を前提としたものではない。
【００４９】
このような変更実施形態に係るラップフィルムカートンＭ（ラップフィルム保持具１）であっても、ラップフィルムカートンＭは、前表面３ｆの一部に粘着部３ｆｊを設け、かつ裏面３ｒをカートン本体部Ｍｍの外面Ｍｍｏに対して固定した保持基部３と、前表面５ｆ…の一部に粘着部５ｆｊ…を設けた複数の保持紙５…を積層し、かつ最裏面部６ｒを保持基部３の前表面３ｆに貼付した保持紙積層部６とを有するラップフィルム保持部１ｍを備えるため、粘着部５ｆｊ…の粘着力（保持力）が使用により低下した場合、劣化した保持紙５を剥がして除去し、次の新しい保持紙５を使用することができる。これにより、最適な粘着力を選定することが可能になり、粘着力が大きすぎてラップフィルムを傷めたり使い勝手が悪くなる弊害を回避しつつ、常に好適な粘着力を確保できる。
【００５０】
また、複数の保持紙５…を積層した保持紙積層部６を備えるため、本来の巻戻り防止機能に加え、必要により、ラッピング対象となる料理等の日時，名前，用途，目的などを書き込むメモ紙として利用できる。即ち、使用するラップフィルムＦｆに、粘着部５ｆｊを介して保持紙５を貼付けた状態にできるため、保持紙５にメモ書きし、そのままラップフィルムＦと一緒に剥がすことにより、伝言や記録等を目的としたメモ紙としての機能を持たせることができる。この結果、多様性及び多機能性を高めることができるなど、ラップフィルムカートンＭにおける付加価値をより高めることができる。
【００５１】
しかも、ラップフィルム保持具１は、カートン本体部Ｍｍに対して着脱式に取付可能な取付部２と、前表面３ｆの一部に粘着部３ｆｊを設け、かつ裏面３ｒを取付部２に固定した保持基部３と、前表面５ｆ…の一部に粘着部５ｆｊ…を設けた複数の保持紙５…を積層し、かつ最裏面部６ｒを保持基部３の前表面３ｆに貼付した保持紙積層部６とを備えるため、粘着部（保持部）を有しない一般的なラップフィルムカートンにも容易に後付けできるとともに、保持紙５…が残った場合であっても他のラップフィルムカートンに付け替えて利用できるなど、上述したメリットに加え、使用する際の柔軟性及び汎用性、更には省資源性及び経済性を高めることができる。なお、図１０（ａ），（ｂ）及び図１１において、図１〜図９と同一部分には同一符号を付してその構成を明確にするとともに、その詳細な説明は省略する。
【００５２】
以上、好適実施形態（変更実施形態）について詳細に説明したが、本発明は、このような実施形態に限定されるものではなく、細部の構成，形状，素材，数量，数値等において、本発明の要旨を逸脱しない範囲で、任意に変更，追加，削除することができる。
【００５３】
例えば、ラップフィルム保持具１を構成するに際し、取付部２を、カートン本体部Ｍｍの開口部Ｍｍｕの端辺Ｍｍｕｓから前面部Ｍｍｆの表裏面を挟んで固定可能なＵ形状に形成した場合を示したが、前面部Ｍｍｆに固定可能な形態であれば、各種形態を適用できる。一例として、二つの部品、具体的には、前述した前プレート部２ｆと後プレート部２ｒをそれぞれ単一の部品として形成し、前面部Ｍｍｆに設けた貫通孔を通して結合ピン等により結合する形態などであってもよいなど、各種形態により実施可能である。
【００５４】
また、取付部２は、合成樹脂素材又は金属素材を用いた弾性素材Ｒにより一体成形することが望ましいが、他の素材を用いる場合を排除しない。特に、上述のように、二つの部品により構成する場合には、非弾性素材（剛性素材）であってもよく、必ずしも弾性素材Ｒを用いることを要しない。さらに、保持紙５の粘着部５ｆｊは、前表面５ｆにおける上部の所定範囲Ａに設けた場合を示したが、このような所定範囲Ａ以外の範囲に設ける場合を排除するものではない。
【産業上の利用可能性】
【００５５】
本発明に係るラップフィルム保持具及びラップフィルムカートンは、ラップフィルムの保持部を有しない各種ラップフィルムカートンに利用することができる。
【符号の説明】
【００５６】
１：ラップフィルム保持具，１ｍ：ラップフィルム保持部，２：取付部，３：保持基部，３ｆ：保持基部の前表面，３ｒ：保持基部の裏面，３ｆｊ：粘着部，５…：保持紙，５ｆ…：保持紙の前表面，５ｆｊ…：粘着部，６：保持紙積層部，６ｒ：最裏面部，Ｍ：ラップフィルムカートン，Ｍｍ：カートン本体部，Ｍｍｏ：カートン本体部の外面，Ｍｍｆ：カートン本体部の前面部，Ｍｍｕ：カートン本体部の開口部，Ｍｍｕｓ：カートン本体部の開口部の端辺，Ｆ：ラップフィルム，Ｆｒ：残留側におけるラップフィルム，Ｃ：カッター，Ｒ：弾性素材，Ａ：所定範囲
【図１】
2020079096.tif 000003
【図２】
2020079096.tif 000004
【図３】
2020079096.tif 000005
【図４】
2020079096.tif 000006
【図５】
2020079096.tif 000007
【図６】
2020079096.tif 000008
【図７】
2020079096.tif 000009
【図８】
2020079096.tif 000010
【図９】
2020079096.tif 000011
【図１０】
2020079096.tif 000012
【図１１】
2020079096.tif 000013